【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
多様な印刷が可能なプリンタと、このプリンタでの印刷の実行を指示する印刷指示端末とを備えた印刷システムであって、
上記印刷指示端末は、
少なくとも２以上の印刷用途のうちから一の印刷用途をユーザが任意に選択できるユーザインターフェースを提供するＵＩ提供手段と、
上記印刷用途毎に予め詳細な印刷条件が保存された印刷用途対応テーブルと、
この印刷用途対応テーブルから上記ユーザが任意に選択した印刷用途に対応する印刷条件を選択する印刷条件選択手段と、
印刷内容を解析する解析手段と、
前記解析手段で解析した結果から、前回印刷したドキュメントと今回印刷するドキュメントの名称が同一であるか否かを判定するドキュメント名称判定手段と、
前回の印刷時刻と今回の印刷時刻とに基づいて算出される印刷間隔が所定時間以内であるか否かを判定する印刷間隔判定手段と、
前記ドキュメント名称判定手段でドキュメントの名称が同一であると判断し、かつ、前記印刷間隔判定手段で印刷間隔が所定時間以内であると判定した場合、前記印刷条件選択手段で選択した印刷条件のうち、印刷解像度に対応する印刷条件を少コストの印刷条件に変更する印刷条件変更手段と、
前記印刷条件変更手段で変更した後の印刷条件を付加した印刷データを作成して上記プリンタに転送する印刷データ作成・転送手段と、を備えたことを特徴とする印刷システム。
【請求項２】
ユーザからの印刷要求を受信する、印刷要求受信ステップと、
少なくとも２種類以上の印刷用途をユーザが任意に選択できるユーザインターフェースを提示する、ユーザインターフェース提示ステップと、
前記ユーザインターフェース提示ステップで提示するユーザインターフェースを用いてユーザに前記印刷用途を選択させる、印刷用途選択ステップと、
前記印刷用途選択ステップで選択させた印刷用途に適する印刷条件を提示する、印刷条件提示ステップと、
前記印刷条件提示ステップで提示した印刷条件に同意するか否かをユーザに確認する、印刷条件同意確認ステップと、
前記印刷条件同意確認ステップでユーザが同意したことを確認した場合、前記印刷条件提示ステップで提示した印刷条件を付加した印刷データを作成する、印刷データ作成ステップと、
前記印刷データ作成ステップで作成した印刷データをプリンタに転送する、印刷データ転送ステップと、からなることを特徴とする印刷設定提案方法。
【請求項３】
請求項２に記載の印刷設定提案方法において、
前記印刷用途選択ステップで選択された印刷用途に対応する印刷条件の少なくとも一部を前記ユーザが変更した場合に、該変更後の印刷条件を記憶する、印刷条件記憶ステップをさらに備え、
前記印刷条件記憶ステップで記憶した前記変更後の印刷条件に対応する印刷用途が、前記印刷用途選択ステップで選択された場合に、前記変更後の印刷条件を前記印刷条件提示ステップで提示することを特徴とする印刷設定提案方法。  
【請求項４】
ユーザからの印刷要求を受信する、印刷要求受信ステップと、
少なくとも２種類以上の印刷用途をユーザが任意に選択できるユーザインターフェースを提示する、ユーザインターフェース提示ステップと、
前記ユーザインターフェースを用いてユーザに前記印刷用途を選択させる、印刷用途選択ステップと、
前記印刷用途選択ステップで選択させた印刷用途に対応する印刷条件の選択回数をカウントする、カウントステップと、
前記カウントステップでカウントした選択回数が所定回数に達したか否かを判定する判定ステップと、
前記判定ステップで前記選択回数が前記所定回数に達したと判定した場合に、少コスト印刷モードで印刷する旨の印刷条件を提示する、印刷条件提示ステップと、
前記印刷条件提示ステップで提示した印刷条件に同意するか否かをユーザに確認する、印刷条件同意確認ステップと、
前記印刷条件同意確認ステップでユーザが同意したことを確認した場合、前記印刷条件提示ステップで提示した印刷条件を付加した印刷データを作成する、印刷データ作成ステップと、
前記印刷データ作成ステップで作成した印刷データをプリンタに転送する、印刷データ転送ステップと、からなることを特徴とする印刷設定提案方法。
【請求項５】
ユーザからの印刷要求を受信する、印刷要求受信ステップと、
少なくとも２種類以上の印刷用途をユーザが任意に選択できるユーザインターフェースを提示する、ユーザインターフェース提示ステップと、
前記ユーザインターフェースを用いてユーザに前記印刷用途を選択させる、印刷用途選択ステップと、
印刷内容を解析する、解析ステップと、
前記解析ステップで解析した結果から、前回印刷したドキュメントと今回印刷するドキュメントの名称が同一であるか否かを判定するドキュメント名称判定ステップと、
前回の印刷時刻と今回の印刷時刻とに基づき算出される印刷間隔が定時間以内であるか否かを判定する印刷間隔判定ステップと、  
前記ドキュメント名称判定ステップでドキュメントの名称が同一であると判断し、かつ、前記印刷間隔判定ステップで印刷間隔が所定時間以内であると判定した場合、印刷用途選択ステップで選択した印刷用途に対応する印刷条件のうち、印刷解像度に対応する印刷条件を少コストの印刷条件に変更する印刷条件変更ステップと、
前記印刷条件変更ステップで変更した印刷条件を提示する、印刷条件提示ステップと、
前記印刷条件提示ステップで提示した印刷条件に同意するか否かをユーザに確認する、印刷条件同意確認ステップと、
前記印刷条件同意確認ステップでユーザが同意したことを確認した場合、印刷条件提示ステップで提示した印刷条件を付加した印刷データを作成する、印刷データ作成ステップと、
前記印刷データ作成ステップで作成した印刷データをプリンタに転送する、印刷データ転送ステップと、からなることを特徴とする印刷設定提案方法。
【請求項６】
ユーザからの印刷要求を受信する、印刷要求受信ステップと、
少なくとも２種類以上の印刷用途をユーザが任意に選択できるユーザインターフェースを提示する、ユーザインターフェース提示ステップと、
前記ユーザインターフェースを用いてユーザに前記印刷用途を選択させる、印刷用途選択ステップと、
前記印刷用途選択ステップで選択された印刷用途で採用されている文字情報として、文字サイズ、文字フォント、文字スタイル、文字飾りの各々の種類を解析する、文字情報解析ステップと、
前記文字情報解析ステップで解析した文字情報に応じた印刷条件を提示する、印刷条件提示ステップと、
前記印刷条件提示ステップで提示した印刷条件に同意するか否かをユーザに確認する、印刷条件同意確認ステップと、
前記印刷条件同意確認ステップでユーザが同意したことを確認した場合、印刷条件提示ステップで提示した印刷条件を付加した印刷データを作成する、印刷データ作成ステップと、
前記印刷データ作成ステップで作成した印刷データをプリンタに転送する、印刷データ転送ステップと、からなることを特徴とする印刷設定提案方法。
【請求項７】
請求項６に記載の印刷設定提案方法において、
前記文字サイズの大きさいを判定する、文字サイズ判定ステップをさらに備え、
前記文字サイズ判定ステップで文字サイズが所定サイズよりも大きいと判定した場合は、通常の設定よりも低い解像度で印刷する旨の印刷条件を前記印刷条件提示ステップで提示することを特徴とする印刷設定提案方法。
【請求項８】
請求項６に記載の印刷設定提案方法において、
前記文字サイズの大きさいを判定する、文字サイズ判定ステップをさらに備え、
前記文字サイズ判定ステップで文字サイズが所定サイズよりも小さいと判定した場合は、通常の設定よりも高い解像度で印刷する旨の印刷条件を前記印刷条件提示ステップで提示することを特徴とする印刷設定提案方法。
【請求項９】
請求項６に記載の印刷設定提案方法において、
前記文字フォントと前記文字スタイルと前記文字飾りが所定値であるか否かを判定する、文字情報判定ステップをさらに備え、
前記文字情報判定ステップで、前記文字フォントが所定の文字フォントであると判定したとき、または前記文字スタイルが所定の文字スタイルであると判定したとき、または前記文字飾りが所定の文字飾りであると判定したときの少なくともひとつに該当する場合、通常の設定よりも高い解像度で印刷する旨の印刷条件を前記印刷条件提示ステップで提示することを特徴とする印刷設定提案方法。
【請求項１０】
請求項９記載の印刷設定提案方法において、
前記所定の文字フォントは、明朝体、行書体、正楷書体のいずれかであり、
前記所定の文字スタイルは、斜体、太字、太字斜体のいずれかであり、
前記所定の文字飾りは、中抜き、取消線、影付き、浮き彫り、上付、下付のいずれかであることを特徴とする印刷設定提案方法。
【手続補正２】
【補正対象書類名】明細書
【補正対象項目名】発明の名称
【補正方法】変更
【補正の内容】
【発明の名称】印刷設定提案システム及び印刷提案方法